(57)【要約】【課題】採取孔にガス採取管を挿入して土壌ガスを採取する際、ガス採取管内に入っている空気の影響を軽減し、土壌ガスを効率よく分析できる土壌ガス採取方法および採取器具を提供する。【解決手段】土壌に明けた採取孔４にガス採集管１を挿入してその上端部に三方切替コック２を装着し、この三方切替コック２の他の切替口にサブシリンジ３およびメインシリンジ（採取器）７をそれぞれ連結し、ガス採取管内の空気をサブシリンジ３で吸入して除去した後に、前記三方切替コックを採取器側に切り替えて土壌ガスをメインシリンジ７に採取する。【選択図】  図１
2004226326.tif 000002
【特許請求の範囲】
【請求項１】
土壌に明けた採取孔に挿入されているガス採集管の上端部に装着した三方切替コックの一つの切替口に連結されているサブシリンジにより、ガス採取管内の空気を吸入して除去した後、前記三方切替コックを採取器に切り替えて採取孔内に存在する土壌ガスをガス採取管の下端開口部から吸引して採取器に採取することを特徴とする土壌ガス採取方法。
【請求項２】
三方切替コックに止栓を介在して採取器を連結し、採取器に所定量の土壌ガスを導入した後に止栓を閉じて土壌ガスを採取する請求項１に記載の土壌ガス採取方法。
【請求項３】
採取孔の入口部におけるガス採取管と採取孔との間を空気遮蔽栓によって閉塞した状態で土壌ガスを採取する請求項１または２に記載の土壌ガス採取方法。
【請求項４】
内部にワイヤーが挿通されているガス採取管を採取孔に挿入し、挿入後にガス採取管からワイヤーを引き抜いてガス採取管の上端部に三方切替コックを装着する請求項１、２または３に記載の土壌ガス採取方法。
【請求項５】
土壌に明けた採取孔に挿入するガス採取管と、三方切替口を有しその一つがガス採取管の上端部に装着される三方切替コックと、三方切替コックの他の切替口の一つに装着されるサブシリンジと、三方切替コックの残りの切替口に止栓を介在して取り付けられる採取器とを有することを特徴とする土壌ガス採取器具。
【請求項６】
採取器がメインシリンジまたはテドラーバッグである請求項５に記載の土壌ガス採取器具。
【請求項７】
ガス採取管がテトラフルオロエチレン製管であり、ワイヤーがステンレスワイヤーである請求項５または６に記載の土壌ガス採取器具。
【発明の詳細な説明】
【０００１】
【発明の属する技術分野】
本発明は、土壌中に含有されているガスの採取方法と採取器具に関する。
【０００２】
【従来の技術】
土壌中に含有されているガス（以下、土壌ガスという）を採取し、このガスを分析することにより土壌ガスに含まれるガスの種類およびその含有量等を確認することが知られている。このような土壌ガスの採取と分析を土壌汚染調査の面から行うときは、通常特定された揮発性有機化合物のガスが対象になり、その採取方法はＪＩＳ規格（ＪＩＳ  Ｋ  ００５０参照）において規定されている。この規定によれば、土壌ガスは地表から１ｍ程度下の土壌中に存在する間隙ガスとなっている。したがって、ＪＩＳ規格に基づく土壌ガスは、分析試料ガスを土壌の地表から１ｍ程度下から採取する必要がある。
【０００３】
従来、この土壌ガスの採取方法として主に捕集部（採取器）の違いに因り各種方法が知られている。図５はそのうちの一つである減圧捕集瓶法を示したものである。この方法は、採取器として例えばガラス製の減圧捕集瓶を使用するもので、土壌に鉄棒等で直径２０〜３０ｍｍ程度、深さ０．９〜１ｍ程度の採取孔４を明けて、この採取孔４に保護管（例えばステンレス管）１７を挿入し、この保護管１７の中にガス採取管１をその先端が保護管１７の開口部より下に達するように挿入する。次いで、ガス採取管１の上端に導管１５を介して減圧捕集瓶１９を連結し、この減圧捕集瓶１９の止詮６を開いて採取孔４の底部に存在する土壌ガスを、減圧捕集瓶１９の真空作用によってガス採取管１の下端開口部から吸入して減圧捕集瓶１９の内部に導入し、そこで止詮６を閉じることによって土壌ガスを減圧捕集瓶１９に採取するものである。
【０００４】
この場合、土壌ガスを確実に採取するために、前記保護管は上部５０ｃｍ以上が無孔管となっており、採取孔４と保護管１７との間を土壌ガスが通過しないように密閉するとともに保護管の管頭の保護管とガス採取管との間をゴム栓１８で密閉している。ガス採取管１と導管１５には、土壌ガス中に含まれる腐食成分によって腐食されにくく、かつ化学反応や吸着反応などによって、土壌ガスの分析結果に影響を与えない、例えばテトラフルオロエチレン製管が使用されている。
【０００５】
また、他の捕集方法として図６の捕集バッグ法および図７の捕集凝縮管法がある。捕集バッグ法は、前記の減圧捕集瓶１９の代わりに合成樹脂フィルム製捕集バッグ２１を捕集容器として使用する。すなわち、図６に示す如く気密容器２０の中に収容されている捕集バッグ２１を導管１５に装着し、この気密容器２０の内部を吸引ポンプ２２で減圧することにより、土壌ガスを同様にガス採取管１の下端開口部から吸入して捕集バッグ２１に採取するようになっている。一方、図７の捕集凝縮管法は、揮発性有機化合物を吸着する例えばＴｅｎａｘ  ＧＲ（商品名）のような捕集剤を充填したガラス管（捕集凝縮管）２３を、窒素気流中で加熱して分析上の妨害となるものを除去した後に導管１５に装着して、捕集凝縮管内を同様にポンプ２２で吸引することにより、土壌ガスを捕集凝縮管内に取り入れて捕集剤で採取する方法である。この場合、捕集凝縮管２３は図示しないが採取孔４または保護管１７の内部においてガス採取管１の先部に装着することもできる。
【０００６】
つまり、従来の土壌ガスの採取方法は、いずれもガス採取管またはガス採取管に連通する導管に採取器を直接に連結して土壌ガスを採取しており、さらに土壌に明けた採取孔の中に採取孔の壁面の損壊を防ぐための保護管を挿入し、この保護管にガス採取管を挿入して土壌ガスを採取する点も共通している。
なお、本出願人は、このような従来の土壌ガスの採取方法に関する公知の先行特許文献等を知らない。
【０００７】
【発明が解決しようとする課題】
しかしながら、従来の土壌ガスの採取方法は、上記したように採取孔の底部に存在する土壌ガスをガス採取管および導管を通してそのまま採取器に採取するために、採取器には最初にガス採取管および導管の内部に入っている空気が導入され、その後に土壌ガスが採取される。土壌ガスの採取において、このようなガス採取管および導管は無用空間であり、この無用空間に入っている空気は土壌ガスの分析に悪影響をもたらすものである。
【０００８】
すなわち、ガス採取管と導管の内部に入っている空気は、土壌ガスに対しては不純物になるので、従来は採取する土壌ガス量を多くして希薄化することにより、前記空気による分析誤差をできるだけ少なくしている。そのため、土壌ガスの採取に大容量の採取器が必要となり、従来は内容積が例えば１０００ｍＬ程度の採取器を使用している。このように前記無用空間は土壌ガスの分析そのものに悪影響を与え、分析精度の低下をもたらすとともに、減圧捕集瓶や捕集濃縮管などの採取器として大容量のものを使用しなければならないために、採取器の製造コストの高騰化を招いている。
【０００９】
さらに、土壌ガスを試行吸入せずにガス採取管で直に吸入し採取器に採取するため、採取孔の底部に水が溜まっているような場合には、採取器に水が導入されるという事態を生じるので、水が入った採取器が無駄となることがあった。
【００１０】
また、保護管の内部にガス採取管を挿入する二重構造になっているため、保護管を必須とするとともに、土壌ガスが通過しないようにこの保護管を採取孔に密着して挿入するために、保護管の挿入時に採取孔が損壊してしばしば再穿孔が必要となり、採取孔の孔明け作業負担が大きいという問題もあった。
【００１１】
本発明の目的は、このような従来の土壌ガス採取方法における問題を解消することにあり、ガス採取管や導管の前記無用空間を可及的になくすることにより採取器具コストを軽減しかつ土壌ガスを効率よく分析ができる土壌ガス採取方法及び採取器具を提供する。
【００１２】
【課題を解決するための手段】
本発明は、上記目的を達成するために、土壌ガスの採取方法における、ガス採取管や導管の無用空間に着目して鋭意検討した結果、ガス採取管と採取器との間に、三方切替コックを設けてその切替口の一つに装着するサブシリンジにより、前記無用空間を実質的になくすことができることを見出し完成したものである。すなわち、本発明は次の土壌ガス採取方法及び採取器具を提供する。
１）土壌に明けた採取孔に挿入されているガス採集管の上端部に装着した三方切替コックの一つの切替口に連結されているサブシリンジにより、ガス採取管内の空気を吸入して除去した後、前記三方切替コックを採取器に切り替えて採取孔の底部に存在する土壌ガスを採取器に採取することを特徴とする土壌ガス採取方法。
２）三方切替コックに止栓を介在して採取器を連結し、採取器に所定量の土壌ガスを導入した後に止栓を閉じて土壌ガスを採取する上記１に記載の土壌ガス採取方法。
３）採取孔の入口部におけるガス採取管と採取孔との間を空気遮蔽栓によって閉塞した状態で土壌ガスを採取する上記１または２に記載の土壌ガス採取方法。
４）内部にワイヤーが挿通されているガス採取管を採取孔に挿入し、挿入後にガス採取管からワイヤーを引抜いてガス採取管の上端部に三方切替コックを装着する上記１、２または３に記載の土壌ガス採取方法。
５）土壌に明けた採取孔に挿入するガス採取管と、三方切替口を有しその一つがガス採取管の上端部に装着される三方切替コックと、三方切替コックの他の切替口の一つに装着されるサブシリンジと、三方切替コックの残りの切替口に止栓を介在して取り付けられる採取器とを有する土壌ガス採取器具。
６）採取器がメインシリンジまたはテドラーバッグである上記５に記載の土壌ガス採取器具。
７）ガス採取管がテトラフルオロエチレン製であり、ワイヤーがステンレスワイヤーである上記５または６に記載の土壌ガス採取器具。
【００１３】
【発明の実施の形態】
本発明は、土壌に明けた採取孔に挿入されているガス採取管の上端部に装着した三方切替コックの切替口の一つに連結されているサブシリンジを用いて、ガス採取管内に初めから入っている空気を除去した後に、更に必要に応じ採取孔の底部における水の有無を確認した後に、前記コックを切り替えて土壌ガスを採取器に採取する。ここで、前記土壌ガスは土壌中に存在する間隙ガスで、分析試料用の土壌ガスをどのくらいの深さから採取するかは、目的に応じて適宜決められるので限定されないが、通常は地表から１ｍ程度下の土壌中に存在する間隙ガスを採取している。
【００１４】
また、この土壌ガスには土壌中に存在する種々の間隙ガスが含まれる。これらのガスのうち、一般に分析対象となる揮発性有機化合物のガスとしては、ジクロロメタン、四塩化炭素、１，２−ジクロロエタン、１，１−ジクロロエチレン、シス−１，２−ジクロロエチレン、１，１，１−トリクロロエタン、１，１，２−トリクロロエタン、トリクロロエチレン、テトラクロロエチレン、１，３−ジクロロプロペン、ベンゼンなどを挙げることができる。
【００１５】
以下、本発明について好ましい具体例を挙げて更に詳細に説明する。図１は、本発明の最も好ましい実施態様に係わる土壌ガス採取器具の正面図を示す。本例は採取器がシリンジの場合であり、その主要部は、図１に示す如く土壌に明けた採取孔４に挿入されるガス採取管１、切替口の一つが該ガス採取管１の上端部に装着されている三方切替コック２、三方切替コック２の他の切替口の一つに装着されているサブシリンジ３および三方切替コック２の残りの切替口に装着されているメインシリンジ７によって構成されている。
【００１６】
本発明において上記採取器具の材質は、土壌ガスの採取過程において土壌ガスと接触しても化学反応や吸着反応によって土壌ガスの分析結果に影響を与えることなく、かつ土壌ガス中に含まれる腐食成分によって腐食され難い材料が好ましい。特に、ガス採取管１、三方切替コック２およびメインシリンジ７（採取器）等は、土壌ガスに対して化学反応や吸着反応が生じると、土壌ガスの分析結果に大きな影響を与えるので材質の選択が重要である。この材質としては、テトラフルオロエチレン、ポリプロピレンなどの合成樹脂、ガラス、ステンレス鋼などを使用できるが、中でもテトラフルオロエチレンは加工性がよく破損しにくい点で優れている。なお、採取器具の各構成部品は全てを同じ材質で製作してもよいし、構成部品によって材質を変えてもよい。
【００１７】
次に、採取器具の各構成部品について説明する。地表から１ｍ下の土壌ガスを採取するときのガス採取管１は、長さが約１ｍのテトラフルオロエチレン製管が好ましく、その管径は例えば内径が約２ｍｍ、外径が約３ｍｍとなっている。ガス採取管のこれらの寸法はは厳密に特定されないが、ガス採取管１の内径が大きすぎると、それだけサブシリンジ３で除去するガス採取管内の空気量が増大し、容積の大きいサブシリンジ３を使用する必要が生じるので好ましくない。逆に内径が小さすぎると、後述するワイヤーを通して採取孔３に挿入することが困難になる。したがって、ガス採取管１の内径としては２〜２．５ｍｍ程度が好ましい。また、外径が必要以上に大きくなると、採取孔４の径を大きくしなければならなくなる。
【００１８】
前記三方切替コック２は、三個の切替口を有している例えばテトラフルオロエチレン製の切替弁で、その一つの切替口をガス採取管１に装着したときガス採取管１からの空気やガスを、他の切替口にそれぞれ装着したサブシリンジ３とメインシリンジ７にコックの切替操作で切り替えられる機能を有している。そして、通常は止栓機能も備えている。前記切替機能を備えていれば、三方切替コック２の形状や大きさは、採取器具の他の部品との整合性を考慮して適宜決めることができる。また、本例ではサブシリンジ３を三方切替コック２の横方向に設けているが、サブシリンジ３とメインシリンジ７の位置は相互に取り変えてもよい。
【００１９】
前記サブシリンジ３は、採取孔４に挿入したガス採取管１に入っている空気を、土壌ガスの採取に先駆けて除去するための手段として、三方切替コック２の一つの切替口に装備されるもので、テトラフルオロエチレン製またはガラス製のシリンジが好ましく使用できる。ガス採取管内の空気を充分に除去できるように、このシリンジの大きさ（容積）はガス採取管１の管内容量と同じかそれ以上の容量にするのが好ましい。因みに本例のサブシリンジ３は約１０ｍＬの容量を有している。
【００２０】
本発明の採取器具において、このサブシリンジ３は三方切替コック２に差し込みにより装着できるので、三方切替コック２への着脱が容易であること、繰り返し使用できること、およびシリンジの吸引操作でガス採取管内の空気を簡便に除去できること、さらに採取孔の底部に水が存在するとき容易に確認できることなどの点で優れている。
【００２１】
本例は採取器として例えばガラス製のメインシリンジ７を使用している。このメインシリンジ７は、三方切替コック２の残りの切替口に止詮６を介在して装着されており、三方切替コック２を切り替えることによってガス採取管１に連通させることができる。したがって、この状態で止詮６を開きシリンジを吸引操作することにより、採取孔４の底部に存在する土壌ガスをガス採取管１の下端開口部から吸入してシリンジ内に採取できる。この場合、前記したようにガス採取管内の空気を事前にサブシリンジ３によって除去しているので、メインシリンジ７には分析試料ガスとして必要な土壌ガスだけが実質的に導入され、従来のようにガス採取管１の内部に入っている空気は導入されない。これにより、従来の採取器のように土壌ガスの採取量を増大してガス採取管内の空気の影響を小さくする必要性がなくなるので、メインシリンジ７の容量は従来の採取器より小さくできる。例えば、従来の採取器では１０００ｍＬ程度の容量が必要であったが、本例のメインシリンジ７は５０〜１００ｍＬの容量となっている。
【００２２】
なお、メインシリンジ７は、サブシリンジ３と同じように差し込みにより三方切替コック２に装着できるので三方切替コック２への着脱が容易であること、洗浄して繰り返し使用できることおよび吸引ポンプなしにシリンジの吸引操作で土壌ガスを簡便に採取できることなどの理由により、採取器としても優れている。
【００２３】
図１に示す如く、ガス採取管１が挿入された採取孔４の入口部は、ガス採取管１と採取孔４との隙間部を例えばゴム製の空気遮蔽栓５（後述）によって閉塞し、外部から採取孔４に侵入する空気や採取孔４から外部に放出する土壌ガスの通過を防いでいる。
【００２４】
次に、本例の採取器具により実際に土壌ガスを採取する方法について説明する。
先ず、図２に示すように土壌ガスを採取したい箇所にボーリングバー８を押し込みまたは打ち込みして採取孔４を明ける。この採取孔４は、実質的に同じ径で垂直に、地表から土壌ガスを採取したい深さ例えば１ｍまで明けられる。また、孔径はガス採取管１を挿入できかつ土壌中の間隙ガスを充分に集合できる例えば２０〜３０ｍｍ程度になっている。従来の採取孔では、前記したように内側に保護管を嵌挿し、この保護管内にガス採取管１を挿入するが、本発明では保護管を嵌挿しない採取孔４にガス採取管１を直接挿入できる。しかし、表層の土壌ガスを回避したいような場合には、保護管を採取孔に密着して挿通してもよい。
【００２５】
ガス採取管１を採取孔４に挿入する際には、図３に例示するように内部にワイヤー例えばステンレスワイヤー９をガス採取管１の全長に渡って挿通し、この状態で採取孔４の内部に、採取孔４の底面とガス採取管１の下端との間に一定の間隙が得られるように挿入する。ガス採取管１にステンレスワイヤー９を挿通しておくことにより、細くて変形しやすいガス採取管１の姿勢を真っ直ぐに保持でき、かつ挿入時にガス採取管１の下端開口部が土で閉塞されるのを防ぐことができるので、ガス採取管１の採取孔４への挿入が容易になり作業性が向上する。
【００２６】
また、挿入時のガス採取管１の内部は実質的にステンレスワイヤー９で満たされており、しかもこのステンレスワイヤー９をガス採取管１が採取孔４に挿入された状態で引き抜くので、採取孔４に挿入されたガス採取管１の内部に存在する空気量を著しく低減させることができる。
【００２７】
ガス採取管１を採取孔４に挿入する際、ガス採取管１の上部には例えばゴム製の空気遮蔽栓５を便宜的に装着しておくのが好ましい。空気遮蔽栓５の中心部には、ガス採取管１を挿通するための孔が設けられており、この孔にガス採取管１の先部１４を挿通することにより、空気遮蔽栓５がガス採取管１に装着されている。この空気遮蔽栓５は上端に採取孔４の径以上の径を有する鍔部１３を有していて、ガス採取管１を採取孔４に挿入すると、採取孔４の入口部における採取孔４とガス採取管１との隙間を鍔部１３が閉塞し、前記したようにこの隙間から外部の空気が採取孔内に流入したり、採取孔内の土壌ガスが外部に放出するのを防いでいる。
【００２８】
次いで、採取孔４に挿入されたガス採取管１からステンレスワイヤー９を引き抜いてその上端部（先部１４の端部）に三方切替コック２を装着し、該三方切替コック２の他の切替口の一つにサブシリンジ３を、また残りの切替口に止詮６を具備しているメインシリンジ７をそれぞれ差し込む。かくして、採取器具の準備が整えられたならば、三方切替コック２のコックを回してガス採取管１とサブシリンジ３とを連通させて、サブシリンジ３の吸引によりガス採取管内の空気をサブシリンジ内に取り出して除去する。その後、三方切替コック２のコックをメインシリンジ７の側に切り替えるとともに止栓６を開いて、ガス採取管１とメインシリンジ７とを連通し、この状態でメインシリンジ７を吸引して採取孔４の底部に存在する土壌ガスをガス採取管１の下端開口部から吸入してメインシリンジ７の内部に導入する。そして、メインシリンジ内に所定量の土壌ガスが取り入れられた時点で止栓６を閉じ、メインシリンジ７を止栓６とも三方切替コック２から離脱することにより、土壌ガスをメインシリンジ７に採取する。
【００２９】
図４は、本発明の他の実施態様を示す。本例は採取器として例えばテトラフルオロエチレン製のテドラーバッグ１０を使用している。テドラーバッグ１０は気密ケース１１の内部に収容されており、止栓６を介在して三方切替コック２の切替口に導管１５によって連結されている。前記気密ケース１１には手動吸引ポンプ１２が設けられていて、気密ケース１１の内部を減圧すると、テドラーバッグ１０がケース内で膨らんで、土壌ガスをその吸引作用でテドラーバッグ１０の内部に導入する。
【００３０】
すなわち、ガス採取管１の内部に入っている空気を、前記したようにサブシリンジ３により除去した後、三方切替コック２のコックによって導管１５の側に切り替えるとともに止栓６を開いてテドラーバッグ１０をガス採取管１に連通し、この状態で採取孔４の底部に存在する土壌ガスを前記方法によりテドラーバッグ内に採取する。なお、図４において１６は便宜的に設けたピンチコックである。
【００３１】
以上、本発明の主な実施態様について説明したが、本発明はこれに限定されない。例えば、例示では三方切替コック２をガス採取管１に装着した後にサブシリンジ３および採取器を三方切替コック２に装着しているが、ガス採取管１に装着する前にサブシリンジ３および／または採取器を三方切替コック２に装着しておいてもよい。また、採取器としては捕集濃縮管も使用できる。さらに、図４の気密ケース１１を減圧するための手段としては、手動吸引ポンプ１２が持ち運びやすく、装置的にも簡便であるなどの点で好ましいが、真空ポンプを使用して減圧することもできる。
【００３２】
また、三方切替コック２は通常は例示したようにガス採取管１の上端部に直結されるが、導管を介して装着してもよく、ガス採取管１の上端部に装着された三方切替コック２とはこのような態様をも含んでいる。
【００３３】
【発明の効果】
本発明は以上説明した通り、三方切替コックに装着したサブシリンジにより、ガス採取管に初めから入っている空気を吸入して除去した後に、三方切替コックを採取器側に切り替えて土壌ガスを採取するので、ガス採取管内に入っている空気の影響を排除できる。例えば、従来の採取方法では、ガス採取管に入っている空気が土壌ガスと一緒に１０〜２０ｍＬ程度採取されるのに対し、本発明では三方切替コックと採取器との間に導管を設けた場合に、この導管内の空気が導入される程度で、採取器には実質的に空気は導入されない。これにより、従来のように採取器の容積を大きくして前記空気の影響を小さくする必要性がなくなるため、採取器の容積を縮小化して採取器具の製造コストを低減でき、さらに土壌ガスの分析を少量の土壌ガスを用いて効率的に分析できる。
【００３４】
また、採取器にシリンジを使用すると、土壌ガスの採取が簡便にできるとともに、洗浄によって繰り返し使用できる利点が得られる。
さらに、ガス採取管１にワイヤーを挿通してガス採取管１の姿勢を真直ぐに保持した状態で採取孔に挿入することにより、ガス採取管を従来のものより細くすることができ、さらに採取孔の側壁を保護管で保護しなくてもガス採取管１を直接採取孔に挿入できるので、沢山の採取孔から土壌ガスを採取する場合に採取作業の効率向上が得られる。また、ガス採取管１を採取孔に挿入した後にこのワイヤーを引き抜くため、ガス採取管内の空気量を減少させることも可能となり、ガス採取管内の空気の影響をサブシリンジによる除去と相俟って解消もしくは一層軽減できる。
【図面の簡単な説明】
【図１】本発明の好ましい実施態様に係わる土壌ガス採取器具の正面図。
【図２】採取孔の穿孔部の断面図。
【図３】ワイヤーを挿通したガス採取管の斜視図。
【図４】本発明の他の実施態様に係わる土壌ガス採取器具の正面図。
【図５】従来の土壌ガス採取器具の正面図。
【図６】従来の他の土壌ガス採取器具の正面図
【図７】従来の他の土壌ガス採取器具の正面図。
【符号の説明】
１：ガス採取管
２：三方切替コック
３：サブシリンジ
４：採取孔
５：空気遮蔽栓
６：止栓
７：メインシリンジ
８：ボーリングバー
９：ステンレスワイヤー
１０：テドラーバッグ
１１：気密ケース
１２：手動吸引ポンプ
１３：鍔部
１４：先部
１５：導管
１６：ピンチコック
１７：保護管
１８：ゴム栓
１９：減圧捕集瓶
２０：気密容器
２１：捕集バッグ
２２：吸引ポンプ
２３：捕集濃縮管
【図１】
2004226326.tif 000003
【図２】
2004226326.tif 000004
【図３】
2004226326.tif 000005
【図４】
2004226326.tif 000006
【図５】
2004226326.tif 000007
【図６】
2004226326.tif 000008
【図７】
2004226326.tif 000009